(57)【要約】      （修正有）【課題】作業者はしゃがむことなく容器の底面の検査を容易に行うことができるようになり、よって作業者にとっての負担を軽減することができ、また、駆動モータ等の外部からの動力を用いていないため製造コストおよびランニングコストを低減することができる検査台を提供する。【解決手段】検査台１は、ベース部１０と、水平方向に延びる回転軸を中心としてベース部１０に対して回転可能となっている、容器を収容するための収容部２０とを備えており、収容部２０は、回転軸を中心として回転したときに収容部２０に収容されている容器が保持されるような構成となっている。作業者は、容器が収容されている収容部２０を回転させ、当該収容部の上下を反転させることにより、容器の底面が向く方向を変更する。【選択図】図１
2018048891.tif 000002
【特許請求の範囲】
【請求項１】
容器の検査を行うための検査台であって、
ベース部と、
前記ベース部に設けられ、水平方向に延びる回転軸を中心として前記ベース部に対して回転可能となっている、容器を収容するための収容部と、
を備え、
前記収容部は、前記回転軸を中心として回転したときに前記収容部に収容されている容器が保持されるような構成となっている、検査台。
【請求項２】
前記収容部は、容器が載置される載置部分を有しており、
前記載置部分には、前記収容部に収容されている容器の検査を行うための開口が設けられている、請求項１記載の検査台。
【請求項３】
前記回転軸にはストッパが設けられており、前記収容部の回転角度は、前記載置部分における容器の載置面が水平面に対して０°乃至１５０°の範囲内の角度をなして傾斜するよう前記ストッパにより制限されるようになっている、請求項２記載の検査台。
【請求項４】
前記収容部には、前記載置部分の奥側から上方に延びるよう背面部材が更に設けられており、
前記ストッパは、前記収容部が前記回転軸を中心として回転したときに前記載置部分が前記背面部材に向かって斜め下方に傾斜した状態となるよう前記収容部の回転角度を制限する、請求項３記載の検査台。
【請求項５】
前記収容部における前記載置部分の近傍には、作業者が把持するための把持部が設けられている、請求項２乃至４のいずれか一項に記載の検査台。
【請求項６】
前記収容部は、アルミを含む材料から構成されるパイプから形成されている、請求項１乃至５のいずれか一項に記載の検査台。
【請求項７】
前記ベース部の下端には複数の車輪が設けられている、請求項１乃至６のいずれか一項に記載の検査台。
【発明の詳細な説明】
【技術分野】
【０００１】
本発明は、容器の検査を行うための検査台に関する。
【背景技術】
【０００２】
従来から、円筒形状の容器（以下、「円筒容器」ともいう。）の外観等の検査を行うための装置として、例えば特許文献１に開示されているような回転駆動装置が用いられている。この装置は、異なる直径を有する複数の種類の円筒容器に対し、その表面の傷や汚れ等の検査を行うことができるものである。より詳細には、この装置は、異なる直径を有する複数の種類の円筒容器を回転させる機構を有しており、当該機構を用いて円筒容器を回転させ、さらに超音波検出器等の移動式の測定子を移動させることにより、円筒容器の検査を行うことができるようになっている。
【先行技術文献】
【特許文献】
【０００３】
【特許文献１】特開昭６２−２８２２１１号公報
【発明の概要】
【発明が解決しようとする課題】
【０００４】
ここで、特許文献１に開示される装置は、駆動モータ等の外部からの動力によって円筒容器を回転させ、同時に測定子を移動させるようになっているため、装置の構成が複雑であり、かつ大型なものとなってしまうという問題がある。加えて、装置のメンテナンス等に費用がかかってしまうため、当該装置のランニングコストも高くなってしまう。
【０００５】
また、特許文献１に開示されている装置を用いることなく容器の底面を検査するためには、容器を横倒させてから検査を行う必要がある。この場合には、容器の底面が作業者の膝よりも下の位置となるため、作業者はしゃがんで検査を行わなければならず、作業者に負担がかかるとともに検査作業にかかる時間が長くなってしまうという問題があった。
【０００６】
本発明はこのような点を考慮してなされたものであり、容器の検査を行う際に、水平方向に延びる軸を中心として容器を回転させ、当該容器の上下を反転させることにより容器の底面を容易に検査することができるシンプルな構成を実現し、かつ、作業者にとっての負担を軽減することができる検査台を提供することを目的とする。
【課題を解決するための手段】
【０００７】
本発明の検査台は、容器の検査を行うための検査台であって、ベース部と、前記ベース部に設けられ、水平方向に延びる回転軸を中心として前記ベース部に対して回転可能となっている、容器を収容するための収容部と、を備え、前記収容部は、前記回転軸を中心として回転したときに前記収容部に収容されている容器が保持されるような構成となっていること特徴とする。
【０００８】
このような検査台によれば、容器を収納するための収容部が、回転軸を中心として回転したときに当該収容部に収容されている容器が保持されるようなシンプル構成となっているため、容器の上下を反転させることにより当該容器の底面の検査を容易に行うことができ、さらには容器の上下を反転させると容器の底面の位置が高くなるため、作業者にとっての負担を軽減することができる。
【０００９】
本発明の検査台においては、前記収容部は、容器が載置される載置部分を有しており、前記載置部分には、前記収容部に収容されている容器の検査を行うための開口が設けられていてもよい。
【００１０】
本発明の検査台においては、前記回転軸にはストッパが設けられており、前記収容部の回転角度は、前記載置部分における容器の載置面が水平面に対して０°乃至１５０°の範囲内の角度をなして傾斜するよう前記ストッパにより制限されるようになっていてもよい。
【００１１】
この場合、前記収容部には、前記載置部分の奥側から上方に延びるよう背面部材が更に設けられており、前記ストッパは、前記収容部が前記回転軸を中心として回転したときに前記載置部分が前記背面部材に向かって斜め下方に傾斜した状態となるよう前記収容部の回転角度を制限するようになっていてもよい。
【００１２】
本発明の検査台においては、前記収容部における前記載置部分の近傍には、作業者が把持するための把持部が設けられていてもよい。
【００１３】
本発明の検査台においては、前記収容部は、アルミを含む材料から構成されるパイプから形成されていてもよい。
【００１４】
本発明の検査台においては、前記ベース部の下端には複数の車輪が設けられていてもよい。
【発明の効果】
【００１５】
本発明の検査台によれば、作業者はしゃがむことなく容器の底面の検査を容易に行うことができるようになり、よって作業者にとっての負担を軽減することができ、また、駆動モータ等の外部からの動力を用いていないため製造コストおよびランニングコストを低減することができる。
【図面の簡単な説明】
【００１６】
【図１】本発明の実施の形態による検査台の構成を概略的に示す正面図である。
【図２】図１に示す検査台を図１における左側から右に向かって見たときの保持部および収容部の構成を概略的に示す側面図である。
【図３】図１に示す検査台の収容部の構成を概略的に示す斜視図である。
【図４】図１に示す検査台を用いて容器の底面の検査を行うときの動作を概略的に示す側面図である。
【図５】従来の載置台を用いて容器の底面の検査を行うときの動作を概略的に示す側面図である。
【発明を実施するための形態】
【００１７】
以下に、図面を参照して本発明の実施の形態について説明する。図１乃至図４は、本実施の形態による検査台を示す図である。このうち、図１は、本実施の形態による検査台の構成を概略的に示す正面図であり、図２は、図１に示す検査台を図１における左側から右に向かって見たときの保持部および収容部の構成を概略的に示す側面図である。また、図３は、図１に示す検査台の収容部の構成を概略的に示す斜視図である。また、図４は、図１に示す検査台を用いて容器の底面の検査を行うときの動作を概略的に示す側面図である。なお、図５は、従来の載置台を用いて容器の底面の検査を行うときの動作を概略的に示す側面図である。また、図１および図２、ならびに図４および図５において、収容部に収容された円筒形状の容器または載置板上に載置された円筒形状の容器を参照符号Ａで示し、容器上部に設けられた取手部分を参照符号ａで示している。また、図１および図３において、収容部の回転軸を参照符号Ｘで示している。また、図４および図５において、検査に用いる工具を参照符号Ｚで示している。
【００１８】
本実施の形態の検査台１は、例えば、使用済みである空の容器にエッチング液等の再充填を行ってから出荷するような容器の利用態様において、空の容器にエッチング液等を再充填する前に行う検査に用いられるものである。このような利用態様においては、再充填が行われる容器は既に１回または複数回以上使用されているものであるため、納入時および回収時等の運搬時や顧客による使用時、あるいは経時的な劣化その他の理由により、傷やクラック等が発生している可能性がある。また、傷やクラック等が発生している容器は、その傷やクラック等の部位や程度によっては再利用すべきでない場合がある。さらに、傷やクラックがある程度以上大きい場合には、再充填時や使用時等に内容液が漏れてしまうことが発生し得る。そのため、容器の検査が必要となっている。
【００１９】
図１乃至図４に示すように、本実施の形態による検査台１は、ベース部１０と、容器が収容される略直方体形状の収容部２０と、検査に用いる工具等を載置するための棚部３０と、点検表等を保持するための保持部４０と、キャスター６０とを備えている。また、ベース部１０には、軸Ｘを中心として回転自在となるよう収容部２０を保持する軸部材５０が設けられている。軸部材５０には、収容部２０に収容された容器が保持されるよう（すなわち、落下しないよう）当該収容部２０の回転角度を制限するためのストッパ５２が設けられている。そして、容器の検査を行うにあたり、作業者は容器を収容部２０に収容した後に容器の検査を行うようになっている。また、容器の底面の検査を行う際には、図２に示す状態から図４に示す状態となるように、軸Ｘを中心として収容部２０を図２における反時計回りの向きに回転させてから検査を行うようになっている。また、容器の底面の検査を行う際にのみ検査台１を用いる等、容器の少なくとも１つの面あるいは一部の領域のみの検査を行うために検査台１を利用するようにしてもよい。このような検査台１の詳細について以下に説明する。
【００２０】
図１に示すように、ベース部１０は、図１における上下方向に延びる左右一対のパイプと、この左右一対のパイプを接続するための、図１における左右方向に延びるパイプとを有している。
【００２１】
また、ベース部１０の下端には複数のキャスター６０（車輪）が設けられている。このことにより、当該検査台１全体を容易に移動させることができるようになっている。
【００２２】
また、ベース部１０には棚部３０が設けられており、当該棚部３０は、複数のパイプから形成されている枠部３２と、工具を載置するための複数の載置部３４とを有している。これらの載置部３４上に、例えば懐中電灯等の検査時に用いる工具等が載置されるようになっている。このことにより、検査作業に用いる工具を収容部２０の近くに保管することができるようになるため、検査作業を効率的に行うことができるようになっている。
【００２３】
また、ベース部１０には保持部４０が設けられており、当該保持部４０は、複数のパイプから形成されている背面部材４２と、検査項目が記載された検査表等を保持する保持部材４４とを有している。このことにより、検査表等を作業者に読みやすいような状態で保持することができるようになり、よって検査作業をより効率的に行うことができるようになる。
【００２４】
また、ベース部１０には収容部２０が設けられており、この収容部２０には、検査対象である容器を収容することができるようになっている。ここで、収容部２０はアルミを含む材料から構成されるパイプから形成されているため、当該収容部２０に収納された容器の外面が良く見えるようになっており、検査作業を妨げないようになっている。このような収納部の形状について図２乃至図４を用いて説明する。なお、図３において収容部２０の回転軸を参照符号Ｘで示している。
【００２５】
図３に示すように、収容部２０は、検査対象が載置される載置部分２１と、背面支え部分２２と、上面支え部分２３と、側面支え部分２４と、を有している。また、載置部分２１は、平面上で略長方形形状となるよう接続された４本の下部パイプ２１ａから構成されている。このため、本実施の形態においては、各下部パイプ２１ａの上面側（すなわち、図２や図３に示す状態で上側から下に向かって見たときに見える面の側）が容器の載置面となる。また、背面支え部分２２（背面部材）は、載置部分２１の奥行き方向（すなわち、図３における奥行き方向）における奥側にある２つの隅部２１ｂに接続されている左右一対の背部パイプ２２ａから構成されている。ここで、各背部パイプ２２ａは、載置部分２１の各隅部２１ｂから各下部パイプ２１ａに対して直交する方向（すなわち、図３における上下方向）にそれぞれ延びるようになっている。また、上面支え部分２３は、各背部パイプ２２ａの上端に接続されており、平面上で略長方形形状となる４本の上部パイプ２３ａから構成されている。また、側面支え部分２４は、上面支え部分２３の奥行き方向（すなわち、図３における奥行き方向）における手前側にある２つの隅部２３ｂと、載置部分２１を構成する４本の下部パイプ２１ａのうち図３における奥行き方向に延びる２本の下部パイプ２１ａとにそれぞれ接続されている、左右一対の側部パイプ２４ａから構成されている。
【００２６】
また、図３における奥行き方向に延びる２つの下部パイプ２１ａの間隔は、載置されるべき容器の幅よりも少し狭くなっている。また、各背部パイプ２２ａの間隔は、収容されるべき容器の幅よりも少し狭くなっている。また、図３における奥行き方向に延びる２つの上部パイプ２３ａの間隔も、収容されるべき容器の幅よりも少し狭くなっている。一方で、各側部パイプ２４ａの間隔は、収容されるべき容器の幅よりも少し大きく（すなわち、背面支え部分２２を構成する各背部パイプ２２ａ等の間隔よりも大きく）形成されている。このことにより、収容部２０に容器を収容することが可能となり、かつ、軸Ｘを中心として図２における反時計回り方向に回転させた場合に、当該収容部２０に収容された容器が落下せず、容器の底面の検査を容易に行うことができるようになっている。
【００２７】
また、上面支え部分２３を構成する４本の上部パイプ２３ａのうち、奥行き方向（すなわち、図３における奥行き方向）に延びる２本の上部パイプ２３ａの長さは、収容されるべき容器の奥行き方向における長さの略半分の大きさとなっている。また、背面支え部分２２を構成する各背部パイプ２２ａは、その高さが収容されるべき容器の高さよりも高く形成されている。また、載置部分２１を構成する４本の下部パイプ２１ａのうち奥行き方向（すなわち、図３における奥行き方向）に延びる２本の下部パイプ２１ａの長さは、載置されるべき容器の奥行き方向における長さよりも長くなるように形成されている。このように、２本の上部パイプ２３ａの長さは、収容されるべき容器の奥行き方向における長さの略半分の大きさとなっているため、収容部２０に容器を容易に収容することができる。このことにより、検査作業の効率を向上させることができるようになっている。なお、背面支え部分２２は、収容部２０を回転させた際に容器の落下を防止するだけでなく、容器を載置部分２１へ載置した後の位置決め用の部材としても用いることができるようになっている。
【００２８】
また、背面支え部分２２の高さが、検査対象である容器の高さよりも高く形成されているため、収容部２０を回転させたとき、当該容器は収容部２０の中で移動するようになっている。このとき、図４に示すように、容器の底面と、載置部分２１を構成する各下部パイプ２１ａとが離間するようになっている。このことにより、作業者は収容部２０を構成するパイプに妨げられることなく、当該収容部２０に収容された容器の底面の全面を容易に検査することができるようになっている。
【００２９】
なお、容器の上下を反転させてから載置部分２１に当該容器を載置した場合（すなわち、容器の上面を載置部分２１に載置した場合）には、収容部２０を回転させたときに、容器の内面が作業者の方へ向くようになり、よって容器の内面を容易に検査することができるようになる。
【００３０】
また、載置部分２１の上面側（すなわち、図２や図３に示す状態で上側から下に向かって見たときに見える面の側）であり、かつ、奥行き方向（すなわち、図３における奥行き方向）における手前側の端部には、例えばパイプ１本程度（約数ｃｍ）の高さを有する止め部材２６が設けられている。このことにより、当該収容部２０に収容されている容器が手前側に滑って落下しないようになっている。
【００３１】
また、載置部分２１の下面側（すなわち、図２や図３に示す状態で下側から上に向かって見たときに見える面の側）であり、かつ、奥行き方向（すなわち、図３における奥行き方向）における手前側の端部には、作業者が把持し、収容部２０を軸Ｘを中心として回転させるための把持部２８が設けられている。このことにより、作業者は、収容部２０を回転させる作業をより容易に行うことができるようになっている。
【００３２】
また、収容部２０は、軸部材５０によりベース部１０に対して回転可能となっており、当該軸部材５０には、収容部２０が回転する角度を所定の範囲内に制限するためのストッパ５２が設けられている。なお、本実施の形態における角度は、図２に示す状態を０°とし、図２に示す状態から反時計回り方向に回転させる方向（すなわち、作業者が把持部２８を把持し、この把持部２８を手前側に引き寄せる方向）を正の回転方向としている。
【００３３】
より詳細には、ストッパ５２は、図２に示す収容部２０の載置部分２１に容器が載置された状態から、図４に示す状態となるように、収容部２０を図２における反時計回り方向に回転させたときに、当該収容部２０が１５０°以上回転することがないよう、収容部２０の回転角度を制限するようになっている。このことにより、作業者が誤って収容部２０を１５０°以上回転させてしまうことを防止することができるようになっている。そのため、収容部２０を回転させ過ぎることにより、当該収容部２０に収容された容器が自重によって傾き、落下してしまうことを防ぐことができる。
【００３４】
また、ストッパ５２は、収容部２０が図２に示す位置にあるときには、負の回転方向（すなわち、図２における時計回り方向）に回転しないよう、当該収容部２０の回転を制限するようになっている。このことにより、収容部２０が図２における時計回り方向に回転してしまい、載置部分２１に載置されている容器が手前側（すなわち、図２における右方向）にすべること、および倒れることを防ぐことができるようになる。
【００３５】
また、ストッパ５２は、収容部２０が回転する角度を０°乃至１５０°の範囲に制限するだけでなく、０°乃至１５０°の範囲内の複数の所定の角度において、収容部２０の角度を固定することができるロック機構を有している。このことにより、複数の所定の角度において検査作業を行うことができるようになるため、検査作業を行う際の利便性を向上させることができるようになる。なお、本実施の形態の検査台１には、このようなロック機構の設置が省略されるようになっていてもよい。この場合には、以下に述べるような容器の検査を行う際に、ロック機構により収容部２０の角度を固定する手間を省くことができるようになる。
【００３６】
次に、このような構成からなる検査台１を用いた容器の検査方法について図２および図４を用いて説明する。
【００３７】
最初に、作業者は、図２に示す状態となるよう、収容部２０の載置部分２１に検査の対象となる容器を載置する。この状態において、棚部３０の載置部３４から懐中電灯等の工具を取り出し、当該工具を用いて、容器の上面および側面の検査を行う。なお、工具を用いない検査（たとえば、工具を用いずに行う目視検査や触手検査）を行う場合には、載置部３４から工具等を取り出さずに検査を行う。
【００３８】
次に、作業者は、把持部２８を把持し、当該把持部２８を手前側に引き寄せるようにして、収容部２０を図２における反時計回り方向に回転させ、収容部２０の上下を反転させる。そして、ロック機構を用いて、上下が反転した収容部２０を固定する。このときに、収容部２０の内部で容器が移動し、よって図４に示すような状態となる。このことにより、容器の底面を作業者側に向けることができ、しゃがむことなく容器の底面の検査をできるようになる。
【００３９】
そして、容器の底面の検査が終了した後に、作業者は、ロック機構によるロックを外すことにより、収容部２０が回転できるようにする。その後、収容部２０を最初の回転方向とは逆の方向（すなわち、図４における時計回り方向）に回転させることによって、当該収容部２０を図２に示す状態に戻すことにより、検査台１を利用した容器の検査が完了する。
【００４０】
ここで、比較対象として、図５に、載置台８０を用いて容器の底面の検査作業を行うときの動作を概略的に示す。図５に示すような載置台８０では、載置板８２の高さレベルが例えば作業者の膝の高さに位置しているため、このような載置板８２に載置された容器の底面の検査を行うときに作業者はしゃがむ必要があり、このような作業を繰り返し行う場合や、長時間行う場合には作業者にとっての負担が大きくなってしまうという問題があった。また、従来の載置台８０によれば、工具を利用して上面および側面を検査した後、いったん検査作業を中断し、載置台８０に容器を横倒状態で載置してから検査を再開する行う必要があったため、非効率的であるという問題があった。これに対し、本実施の形態では、上述した構成の検査台１によりこのような従来技術の問題を解決することができるようになる。
【００４１】
以上のような構成からなる本実施の形態の検査台１によれば、収容部２０は、軸Ｘを中心として回転したときに当該収容部２０に収容されている容器が保持されるような構成となっている。このことにより、作業者は、容器の上下を反転させることにより当該容器の底面の検査を容易に行うことができ、さらには容器の上下を反転させると容器の底面の位置が高くなるため、作業者にとっての負担を軽減することができる。
【００４２】
なお、本実施の形態による検査台１は上述したような態様に限定されることはなく、様々な変更を加えることができる。
【００４３】
例えば、本実施の形態による検査台１において、検査対象である容器の形状は、円筒形状に限定されることはない。例えば、略直方体形状である容器や、その他の形状の容器であっても、当該容器の形状に合わせた収容部２０を作製することにより、検査台１を用いた容器の背面の検査を容易に行うことができる。
【００４４】
また、収容部２０には、側面支え部分２４が設けられていなくてもよい。この場合であっても、収容部２０を回転させたときに収容されている容器が当該収容部２０から落下しないようにすることができ、容器の背面の検査を容易に行うことができる。なお、側面支え部分２４を設けた場合には、収容部２０に収容されている容器が側方から落下してしまう事を防ぐことができるという利点がある。
【００４５】
また、収容部２０を構成するパイプのうち、例えば容器の外面と接触する部分に、弾性ゴム等の衝撃吸収用の部材が取り付けられていてもよい。このことにより、収容部２０を回転させ、当該収容部２０に収容されている容器を移動させる際に、当該容器の外面に傷等がついてしまうことを抑制することができるようになる。
【００４６】
また、収容部２０をロックするためのロック機構は、収容部２０の回転角度を所定の複数の角度において固定するようになっているだけでなく、０°乃至１５０°の範囲内における任意の角度で収容部２０の回転角度を固定することができるようになっていてもよい。この場合には、収容部２０の角度をより細かく調整し、当該収容部２０内に収容されている容器の検査を行うことが可能となるため、検査作業の利便性を更に向上させることができるようになる。
【符号の説明】
【００４７】
１      検査台
１０    ベース部
２０    収容部
２１    載置部分
２１ａ  下部パイプ
２２    背面支え部分（背面部材）
２２ａ  背部パイプ
２３    上面支え部分
２３ａ  上部パイプ
２４    側面支え部分
２４ａ  側部パイプ
２６    止め部材
２８    把持部
３０    棚部
３２    枠部
３４    載置部
４０    保持部
４２    背面部材
４４    保持部材
５０    軸部材
５２    ストッパ
６０    キャスター（車輪）
８０    載置台
８２    載置板
【図１】
2018048891.tif 000003
【図２】
2018048891.tif 000004
【図３】
2018048891.tif 000005
【図４】
2018048891.tif 000006
【図５】
2018048891.tif 000007